(57)【要約】      （修正有）【課題】頸部に近い襟足部の洗髪時には、頭部支持部材のみを後頭部より下方に変移させることで、洗髪者が被洗髪者の後頭部を持ち上げることなく、洗髪を行えるようにする。【解決手段】シャンプーボール１に形成されている被洗髪者の頸部を受ける湾曲部に近接した位置における前記シャンプーボールの内側に固定した固定部材２１と、該固定部材に対して回動自在に軸支された回動部材２２と、該回動部材の水平部における前記湾曲部より離れた位置に形成した頭部支持部材２２ｃと、前記回動部材を回動し前記頭部支持部材が下方に変移した位置で前記回動部材の回動を停止させるストッパー機構とより構成したシャンプーボールに取付けられる頭部支持装置である。【選択図】図１
2014171533.tif 000002
【特許請求の範囲】
【請求項１】
シャンプーボールに形成されている被洗髪者の頸部を受ける湾曲部に近接した位置における前記シャンプーボールの内側に固定した固定部材と、該固定部材に対して回動自在に軸支された回動部材と、該回動部材の水平部における前記湾曲部より離れた位置に形成した頭部支持部材と、前記回動部材を回動し前記頭部支持部材が変移した位置で前記回動部材の回動を固定させるストッパー機構とにより構成したことを特徴とするシャンプーボールに取付けられる頭部支持装置。
【請求項２】
前記ストッパー機構は前記固定部材に形成されている垂直部に水平方向に移動可能なストッパーピンであって、該ストッパーピンの一端側を押し込むことで、該ストッパーピンの他端側が前記回動部材に形成されている垂直部に当接して、前記頭部支持部材が下方に変移した位置で固定されることを特徴とする請求項１記載のシャンプーボールに取付けられる頭部支持装置。
【請求項３】
前記回動部材の上方に回動自在に被洗髪者の頸部を受ける頸部支持部材を取付けたことを特徴とする請求項１記載のシャンプーボールに取付けられる頭部支持装置。
【発明の詳細な説明】
【技術分野】
【０００１】
本発明は、バックシャンプー（シャンプーボールに被施術者が仰臥状態で洗髪を行う）姿勢で洗髪を行う際に、被施術者の頸部を頸部支持部で支持し、該頸部に近い後頭部を頭部支持部材で支持することで安楽な姿勢で洗髪を受けることができ、また、襟足部の洗髪時には前記頭部支持部材を前記頸部支持部より下方に移動させ、かつ、移動後の状態を固定することで、頸部に近い後頭部の洗髪が容易に行えるようにしたシャンプーボールに取付けられる頭部支持装置に関する。
【背景技術】
【０００２】
従来におけるシャンプーボールに取付けられる頭部支持装置としては、特許第４６１６７６２号の発明が存在する。この発明は、シャンプーボールの内周面における略半周にわたって形成された段部の中央にシャワーヘッドが取付けられ、かつ、前記段部の左右に温度調節摘みと止水摘みが取付けられ、前記シャワーヘッドと対向する内周面に形成された凹部に頭部支持装置の固定部材が取付けられている。
【０００３】
前記固定部材の下部側に回動部材が回動自在に取付けられ、該回動部材の中央よりに被施術者の後頭部を支持する頭部支持部材が固定され、また、前記回動部材の上端両側に突出している軸に被施術者の首後ろ部を支持する頸部支持部材が前記軸に対して回動自在に取付けられている。なお、前記頭部支持部材と頸部支持部材の上部にはジェルや発泡材等のクッション材をウレタン等の部材で覆った頭部受け、頸部受けが着脱自在に取付けられている。
【０００４】
そして、前記した前記頸部支持部材と前記頭部支持部材が独立して回動可能な構造にした理由としては、被施術者の頸部と後頭部との高低差および形状における個人差があっても頸部支持部材と頭部支持部材とが独立して回動させて、被施術者の頸部が圧迫されるのを防止して苦痛を与えることがないようにした。
【先行技術文献】
【特許文献】
【０００５】
【特許文献１】特許第４６１６７６２号
【発明の概要】
【発明が解決しようとする課題】
【０００６】
ところで、前記した構造の頭部支持装置にあっては、頸部に近い襟足部の洗髪時において、後頭部に頭部支持部材が当接した状態を維持されているので、通常の洗髪時に洗髪者は頸部に近い襟足部よりも離れた頭部を手で頭部支持部材より離れた位置まで持ち上げて行わなければならず、パーマ施術の中間洗髪時にロッドと頭部支持部材と干渉することがあり、さらに、酸性カラー施術後の洗髪時に頭部支持部材によって頭皮にカラー剤が付着することもあるという課題がある。
【０００７】
本発明は前記した課題を解決せんとするもので、その目的とするところは、頸部に近い襟足部の洗髪時には前記頭部支持部材のみを後頭部より下方に変移させることで、洗髪者が被洗髪者の後頭部を持ち上げることなく洗髪を行うことが可能であり、また、パーマ施術の中間洗髪時にロッドと頭部支持部材とが干渉することなく施術が行え、さらに、酸性カラー施術後の洗髪時に頭部支持部材による頭皮が着色されることのないシャンプーボールに取付けられる頭部支持装置を提供せんとするにある。
【課題を解決するための手段】
【０００８】
本発明のシャンプーボールに取付けられる頭部支持装置は、前記した目的を達成せんとするもので、請求項１の手段は、シャンプーボールに形成されている被洗髪者の頸部を受ける湾曲部に近接した位置における前記シャンプーボールの内側に固定した固定部材と、該固定部材に対して回動自在に軸支された回動部材と、該回動部材の水平部における前記湾曲部より離れた位置に形成した頭部支持部材と、前記回動部材を回動させ前記頭部支持部材が変移した位置で前記回動部材の回動を固定させるストッパー機構とにより構成したことを特徴とする。
【０００９】
請求項２の手段は、前記した請求項１において、前記ストッパー機構は前記固定部材に形成されている垂直部に水平方向に移動可能なストッパーピンであって、該ストッパーピンの一端側を押し込むことで、該ストッパーピンの他端側が前記回動部材に形成されている垂直部に当接して、前記頭部支持部材が下方に変移した位置で固定されることを特徴とする。
【００１０】
請求項３の手段は、前記した請求項１において、前記回動部材の上方に回動自在に被洗髪者の頸部を受ける頸部支持部材を取付けたことを特徴とする。
【発明の効果】
【００１１】
本発明は前記したように、回動部材を回動し前記頭部支持部材が下方に変移した位置で前記回動部材の回動を固定するようにしたので、被洗髪者の後頭部から頭部支持部材を移動して後頭部側に空間ができ、襟足部分の洗髪や、パーマ施術の中間洗髪時および酸性カラー施術後の洗髪時に頭皮が着色されるのを防止することができる。
【００１２】
また、前記頭部支持部材を変移した時に回動部材を停止させるためのストッパー構造として、ストッパーピンを押し込むことで該ストッパーピンの先端が回動部材に当接して回動を阻止することができる構造としたので、構造が簡単でコストが安価で、かつ、長期間の使用にも耐え得るものである。
【００１３】
また、頭部支持部材と一体的に頸部支持部材を取付け、かつ、頭部支持部材と頸部支持部材とが独立して回動するので、前記高低差や個人差があっても頭部支持部材は後頭部にフィットした状態で洗髪を受けることができる等の効果を有するものである。
【図面の簡単な説明】
【００１４】
【図１】第１の実施例の頭部支持部材をシャンプーボールに取付けた状態の斜視図である。
【図２】図１の頭部支持部材の拡大図であり、（ａ）は正面側から見た斜視図、（ｂ）は背面側から見た斜視図である。
【図３】第２の実施例の頭部支持部材を示し、（ａ）は正面側から見た斜視図、（ｂ）は頭部支持部材を下方に回動しロックした状態の斜視図である。
【図４】（ａ）は図３（ａ）の背面側から見た斜視図、（ｂ）はは頭部支持部材を下方に回動しロックした状態の斜視図である。
【発明を実施するための形態】
【００１５】
以下、本発明に係るシャンプーボールに取付けられる頭部支持装置の第１の実施例を図１、図２と共に説明する。
１はシャンプーボールにして、１ａは温度調節栓を取付けるための温度調節栓用台部、１ｂはシャワーホースを挿入するためのホース挿入用台部である。なお、図示していないが前記温度調節栓用台部１ａと対向する部位には止水栓を取付けるための止水栓用台部が形成されている。
【００１６】
また、前記シャンプーボール１には被洗髪者の頸部を載せるための湾曲部１ｃが形成され、該湾曲部１ｃには、ジェルや発泡材等のクッション材をウレタン等で覆った頸部受けクッション材１ｄが取付けられている。
【００１７】
次に、頭部支持装置２の詳細を図２と共に説明する。
頭部支持装置２は、シャンプーボール１の前記頸部受けクッション材１ｄに近接した位置の内面側に固定される水平部２１ａおよび該水平部２１ａの両端から上方に延長された垂直部２１ｂが形成されたＵ字状の固定部材２１と、該固定部材２１の垂直部２１ａの上端において軸支される垂直部２２ａが形成されたＵ字状の回動部材２２とより構成されている。従って、固定部材２１に対して回動部材２２は回動可能となっている。
【００１８】
前記回動部材２２の水平部２２ｂの２か所に上方に向かって突出した頭部支持部材２２ｃが一体に形成され、該頭部支持部材２２ｃにはジェルや発泡材等のクッション材をウレタン等で覆った頭部受けクッション材２２ｄが取付けられている。
【００１９】
また、前記固定部材２１における左右何れかの垂直部２１ａには後述するストッパーピン２１ｃが水平方向に移動可能に取付けられている。そして、前記回動部材２２を回動させて頭部支持部材２２ｃが下向きに回動した状態において、該回動部材２２の垂直部２２ａにストッパーピン２１ｃを当接させることで、頭部支持部材２２ｃが水平位置まで戻るのを阻止することとなる。
【００２０】
なお、前記頸部受けクッション材１ｄと、頭部支持装置２における頭部受けクッション材２２ｄの高さは略同じ高さとなるように配置されているので、被洗髪者が椅子に着座し仰臥状態で頸部を頸部受けクッション材１ｄで支持した状態で後頭部が頭部受けクッション材２２ｄに頸部が水平を維持して支持される。従って、襟足部分を除く洗髪時には安楽状態での洗髪を受けることが可能となる。
【００２１】
そして、襟足部分の洗髪やパーマ施術の中間洗髪時および酸性カラー施術後の洗髪時に頭皮が着色されるのを防止する時には、洗髪者が回動部材２２を固定部材２１に対して頭部受けクッション材２２ｄを下方向（被洗髪者の後頭部から離れる方向）に回動し、ストッパーピン２１ｃを押し込んで回動部材２２の垂直部２２ａに当接させて固定することで、襟足部の洗髪、パーマ施術の中間洗髪時におけるロッドと頭部受けクッション材２２ｄとの干渉および酸性カラー施術後の洗髪時に頭皮への着色を防止することが可能となる。
【００２２】
なお、前記した第１の実施例にあっては、頭部支持部材２２ｃとクッション材２２ｄとの重量によって下方に回動して被洗髪者が頸部を後方に変移させないと後頭部にクッション材２２ｄを当接しない場合があるので、固定部材２１の垂直部２１ａと回動部材２２の垂直部２２ａとの間にバネ材を取付け、該バネ材によってクッション材２２ｄを水平位置まで回動させて、被洗髪者の後頭部がクッション材２２ｄにより当接するようにすることが望ましい。
【００２３】
図２（ｂ）の符号２１ｄは、前記バネ材によって回動部材２２が水平状態を越えるのを防止するための突起であって、この突起２１ｄに回動部材２２の水平部２２ｂを当接させることでクッション材２２ｄを水平状態で維持する。
【００２４】
次に、第２の実施例について説明する。なお、前記した第１の実施例では被洗髪者の頸部の支持はシャンプーボール１に取付けた頸部受けクッション材１ｄで行い、頭部の支持は頭部支持装置２で行うものであるが、第２の実施例では頸部受けと頭部受けを１つの部材で行うものである。
【００２５】
以下、本発明のシャンプーボールに取付けられる頭部支持装置の詳細を図３、図４と共に説明する。なお、図面においてシャンプーボール１に頭部支持装置３を取付けた状態を開示していないが、前記した第の１実施例において頭部支持装置２を取付けた位置のシャンプーボール１の内側に取付ける。なお、第２の実施例では頸部受けクッション材１ｄは存在しない。
【００２６】
頭部支持装置３は、シャンプーボール（図示せず）におけるシャワーヘッドと対向する位置の内側に固定される水平部３１ａおよび該水平部３１ａの両端から上方に延長された垂直部３１ｂが形成されたＵ字状の固定部材３１と、該固定部材３１の垂直部３１ａの上端において軸支される垂直部３２ａが形成されたＵ字状の回動部材２２とより構成されている。従って、固定部材２１に対して回動部材２２は回動可能に形成されている。
【００２７】
前記回動部材３２の水平部３２ｂの中央寄りに２つの頭部支持部材３２ｃが一体に形成され、該頭部支持部材３２ｃにはジェルや発泡材等のクッション材をウレタン等で覆った頭部受けクッション材３２ｄが取付けられている。また、前記垂直部３２ａの先端には後述する頸部支持部材４を回動自在に軸支するための軸支用突起３２ｅが取付けられている。
【００２８】
頸部支持部材４は被施術者の頸部を支持するためのものであり、中央部が凹部に形成されており両端の孔４ａが前記軸支用突起３２ｅに嵌め込まれて回動自在に軸支されている。前記頸部支持部材４は回動部材３１の軸支用突起３２ｅに回動自在に軸支される硬度の高い金属や合成樹脂で形成されており、その外周にジェルや発泡材等のクッション材をウレタン等で覆った頸部受けクッション材４ｂによって被洗髪者の頸部に痛みを与えない構造となっている。
【００２９】
５は前記回動部材３２を回動し頭部受けクッション材３２ｄを下方向（被洗髪者の後頭部から離れる方向）変位した状態を固定するためのストップ機構であり、上記頭部受けクッション材３２ｄを下方向に変位した状態で固定することで被洗髪者の襟足部分の洗髪や、パーマ施術の中間洗髪時にクッション材３２ｄが邪魔になることがない。また、酸性カラー施術後の洗髪時に頭皮が着色されるのを防止することができる。
【００３０】
以下、そのストッパー機構の具体例について説明するに、固定部材３１の垂直部３２ａに貫通孔３２ｆを形成し、この貫通孔３２ｆに水平方向に移動するストッパーピン５を挿入し、頭部受けクッション材３２ｄを下方向に回動した状態を維持するには、ストッパーピン５を差し込むことで可能となる。また、頭部受けクッション材３２ｄを下方向に回動する必要がない場合（被洗髪者の後頭部を支持して洗髪を行う場合）には、前記ストッパーピン５を外側に引出すことで、頭部受けクッション材３２ｄは被洗髪者の後頭部に密着した状態を維持する。なお、前記した第１の実施例におけるストッパーピン２１ｃも同様な構造である。
【００３１】
次に、襟足部分の洗髪や、パーマ施術の中間洗髪時および酸性カラー施術後の洗髪時に頭皮が着色されるのを防止するには、頭部受けクッション材３２ｄを最大の下方向に回動して固定する必要が有る。すなわち、前記ストッパーピン５を押し込んで回動部材３２の垂直部３２ａに当接させて固定することで、襟足部の洗髪、パーマ施術の中間洗髪時におけるロッドと頭部受けクッション材３２ｄとの干渉および酸性カラー施術後の洗髪時に頭皮への着色を防止することが可能となる。
【００３２】
前記ストッパーピン５の具体例としては、前記固定部材３１の垂直部３２ａに形成した貫通孔３２ｆにネジ孔を形成した雌ネジ管を挿入し、該雌ネジ管の両端から雄ネジを螺合することで、雄ネジの膨出頭部で抜け出るのを防止し、かつ、水平方向に移動可能したので、ストッパーピン５を外側に移動することで回動部材３２はフリーで回動可能となり、また、ストッパーピン５を内側に移動することで回動部材３２の垂直部３２ａの側面に当接して回動部材３２は回転がストップされる。
【００３３】
なお、前記説明した回動部材３２の回動を固定させるストップ機構としては、前記したストッパーピン５によって行うのは一例であって、前記貫通孔３２ｆにある程度の摩擦で回転可能な回転軸の一端（垂直部３２ａの外側）に摘みを取付け、回転軸の他端（垂直部３２ａ側）に楕円状や三角形等の回転軸の回転時に回転軸から垂直部３２ａまでの距離が変化する回転板を取付け、前記摘みを回転して回転板を回転することで、回転板から垂直部３２ａとの間隔が大きく回転部材３２の回転が自由に行えたり、回転板が垂直部３２ａに当接して回転部材３２の回動をストップさせるストッパー機構等の種々の構造のものも含むものである。
【００３４】
また、本発明の第２の実施例にあっては、被洗髪者が仰臥状態で頸部を頸部支持部材４の頸部受けクッション材４ｂに頸部後ろ部が弾性的に載置され、また、頭部支持部材３の頭部支持部材３２ｃの頭部受けクッション材３２ｄに載置され、かつ、被洗髪者の後頭部と頸部後ろ部との高低差あるいは形状における個人差があった場合には、頭部支持部材３２ｃと頸部支持部材４とが独立して回動するので、前記高低差や個人差があっても頭部支持部材３２ｃは後頭部にフィットし、また、頸部支持部材４は頸部後ろ部にフィットした状態となって、被洗髪者が不快感や苦痛を感じることなく快適な洗髪姿勢で洗髪を受けることが可能である。
【符号の説明】
【００３５】
１          シャンプーボール
１ｃ        湾曲部
２１        固定部材
２２        回動部材
２２ｂ      水平部
５          ストッパーピン（ストッパー機構）
【図１】
2014171533.tif 000003
【図２】
2014171533.tif 000004
【図３】
2014171533.tif 000005
【図４】
2014171533.tif 000006